(57)【要約】      （修正有）【課題】高齢者の足部による体の重心の支持点を矯正することができ、また足裏にたこが簡単にできないようにする靴下構造を提供する。【解決手段】靴下体１の先端に履き口２、履き口に隣接したところに第１締付部２０が設けられる。靴下体の前端には、互いに隣接して四本指袋３と親指袋４が設けられる。四本指袋には、三本の仕切り線３０を編み込んで、三本指袋３１と中指袋３２が設けられる。【選択図】図１ｂ
0003171089.tif 000002
【実用新案登録請求の範囲】
【請求項１】
足袋靴下であり、弾力のある靴下体（１）の先端に履き口（２）、該履き口に隣接したところに第一締付部（２０）が設けられ、該靴下体の前端は５つの収納空間をもち、それらは、
（a）四本指袋（３）と親指袋（４）が設けられ、該四本指袋と親指袋はお互いに隣接しているが、距離を開けるように設けられており、該四本指袋は、該四本指袋を四つの収納空間に分けるための三本の仕切り線を編み込んで、
（b）三本指袋（３１）、中指袋（３２）と親指袋（４）が設けられ、該三本指袋、中指袋と親指袋は、お互いに隣接しているが、距離を開けるように設けられており、また、該三本指袋は、該三本指袋を三つの収納空間に分けるための二本の仕切り線を編み込んで、
又は、
（c）、該靴下体の前端を四つの収納空間に分けるための四本の仕切り線を編み込んで、
一体成形するように設けられていることを特徴とする靴下構造。
【請求項２】
該織り込みを行う際、複数の空間を分けるために一体成形される複数の仕切り線は、長さの制限がなく、特定の長さの制限がないものであることを特徴とする請求項１に記載の靴下構造。
【請求項３】
該靴下ボディーの底部には、踵袋が設けられていることを特徴とする請求項１に記載の靴下構造。
【請求項４】
該踵袋と対向した靴下体は、通気部が設けられていることを特徴とする請求項２に記載の靴下構造。
【請求項５】
踵袋の両側にはまた、第二締付部が設けられていることを特徴とする請求項２に記載の靴下構造。
【請求項６】
第二締付部のほかに、靴下体の前端と踵袋の間に更に、第二締付部前部が設けられていることを特徴とする請求項４に記載の靴下構造。
【請求項７】
該第二締付部前部は、片面または両面に縦向きコード織りが設けられている構造であり、該縦向きコード織りは、複数の糸で、タック編み組織を設けて行われるが、該タック編み組織によって、該縦向きコード織りが形成され、その機能を持つように設けられていることを特徴とする請求項５に記載の靴下構造。
【請求項８】
該第二締付部は、該第二締付部前部の縦向きコード織りによるタック編み組織を設けてから、一般的な長・短繊維、ハーフカシミヤの複数の糸にライカ、弾性糸またはゴム糸などの繊維を加えて、タック織りで、弾力的に締め付け、それから、それを繰り返して行うように設けられている該第二締付部であり、簡単に言えば、第二締付部前部の延長であり、弾力的に締め付けるように設けられていることを特徴とする請求項６に記載の靴下構造。
【考案の詳細な説明】
【技術分野】
【０００１】
本考案は靴下に関わり、特に、靴下体の前端を、５つの分離した収納空間することを特徴とする靴下構造に関する。さらに、本考案は、靴下体に第二締付部を設けることによって、高齢者の徒歩時の体の重心を矯正して、足裏の肉と靴下ボディーとの摩擦を減少させて、足裏にたこができないようにし、ハーフカシミヤ織り靴下体によって、衝撃吸収、クッション性、汗を吸収するなどの効果を有する技術分野に関する。  
【背景技術】
【０００２】
従来の一般的な靴下８は、図７に示すように、足底部８１は滑らかな面になるため、そこが滑りやすくて、足指が圧迫されて、痛くなる。また、鼻緒のある履物の場合、鼻緒と足指部８１０が接触して、靴下体の糸が引っ張られて、切れたり、破れたりする。靴下のみを履いて室内で歩いている場合でも、滑らかな足底部８１の構造なので、滑り倒れたりしする、危険がある。  
【０００３】
また、従来の五本指靴下９は、図８に示すように、五つの指がそれぞれ入る足指袋部９１が設けられ、それが足を完全に覆う靴を履くのに適用するものであり、従来の五本指靴下９は、五本指がそれぞれ入る足指袋部９１が設けられいるから、靴下体自身の面積が大きくて、そこで、つま先がシャープな形をする靴を履くと、足指が圧迫されて、痛くなったり、足指が圧迫されながらぎっしりと並んでいるため、蒸し暑くて汗が出て、細菌が生じて水虫になったりする場合もある。加えて、従来の五本指靴下９は、一足指袋に一足指が入り、靴下をはいたのち、足の指先から足指の付け根までが完全に足指袋にぴったりと入っていることを更に確認することから、時間がかかる。その上、従来の五本指靴下９は、足首への圧力に気を配って設計されるものではなく、従来の五本指靴下９を履いて運動したり、歩いたりすると、足首の捻挫が起こりやすく、足首部に起こる静脈瘤の発生率を低減させることもできない。  
【０００４】
図９に示すように、一般の人は体の重心を支える点が足裏または踵１０２になるが、高齢者は体の老化で、猫背になったりするため、歩いているとき、体がよく前に傾くようになり、重心の支持点が足部１００の指先１０１になるため、徒歩のとき、指先が先に地面に着くことになり、それが、高齢者がよく転倒したり、足を捻挫したりする原因である。それゆえ、靴下によって、高齢者の足部による体の重心の支持点を矯正する必要がある。
【０００５】
さらに、該靴下８と従来の五本指靴下９を履いて運動しているとき、靴下底部の延性が良すぎると、激しい運動の最中、足裏の肉との激しい摩擦で生じた熱により、足の裏にたこが起こりやすくなる。
【考案の概要】
【考案が解決しようとする課題】
【０００６】
本考案の課題の一は、外観上は足袋靴下であるが、内側構造が５つの収納空間をもつ五本指靴下の足袋靴下構造を提供することであり、別の態様はそれと同じ原理による靴下体であるが、外観上は指先から指の付け根までの仕切り線を有する五本指靴下（略称、内五本指靴下）構造を提供することである。
【０００７】
本考案のさらに別の課題は、高齢者が歩いているときに、足部による体の重心の支持点を矯正可能な足袋靴下、三本指靴下または内五本指靴下構造を、そして、激しい運動のときに足裏の肉と靴下ボディーとの摩擦を防ぐための構造を提供することである。  
【０００８】
本考案のもう一つの課題は、足首部を締め付けて、足首の静脈瘤の発生率、足がひっくり返り転倒する発生率を低減させることである。  
【０００９】
本考案の更にもう一つの課題は、丈夫でより快適で履きやすい靴下体を提供することである。
【課題を解決するための手段】
【００１０】
本考案の考案者がそれを鑑みて、長期に亘って靴下に関する研究を行い、アイデアを凝らして、該靴下構造を検討し、本考案からなる足袋靴下を完成した。
【００１１】
本考案は、足袋靴下であり、弾力のある靴下体（１）の先端に履き口（２）、該履き口に隣接したところに第一締付部（２０）が設けられ、該靴下体の前端は５つの収納空間をもち、それらは、
（a）四本指袋（３）と親指袋（４）が設けられ、該四本指袋と親指袋はお互いに隣接しているが、距離を開けるように設けられており、該四本指袋は、該四本指袋を四つの収納空間に分けるための三本の仕切り線を編み込んで、
（b）三本指袋（３１）、中指袋（３２）と親指袋（４）が設けられ、該三本指袋、中指袋と親指袋は、お互いに隣接しているが、距離を開けるように設けられており、また、該三本指袋は、該三本指袋を三つの収納空間に分けるための二本の仕切り線を編み込んで、
又は、
（c）、該靴下体の前端を四つの収納空間に分けるための四本の仕切り線を編み込んで、
一体成形するように設けられていることを特徴とする靴下構造からなる。
【００１２】
つまり本考案は、弾力のある靴下体の先端に履き口、該履き口に隣接したところに第一締付部が設けられているが、該靴下体の前端には、四本指袋と親指袋が設けられ、該四本指袋と親指袋とがお互いに隣接しているが、距離を開けるように設けられており、該四本指袋は、該四本指袋を四つの収納空間に分けるための三本の仕切り線を編み込んで一体成形するように設けられていることを特徴とする該靴下構造からなる。
【００１３】
別の本考案は、三本指靴下であり、弾力のある靴下体の先端に履き口、該履き口に隣接したところに第一締付部が設けられているが、該靴下体の前端には、三本指袋、中指袋と親指袋が設けられ、該三本指袋、中指袋と親指袋は、お互いに隣接しているが、距離を開けるように設けられており、また、該三本指袋は、該三本指袋を三つの収納空間に分けるための二本の仕切り線を編み込んで一体成形するように設けられていることを特徴とする該靴下構造からなる。
【００１４】
さらに、別の本考案は、内五本指靴下であり、弾力のある靴下体の先端に履き口、該履き口に隣接したところに第一締付部が設けられているが、該靴下体の前端は、該靴下体の前端を四つの収納空間に分けるための四本の仕切り線を編み込んで一体成形するように設けられていることを特徴とする該靴下構造からなる。  
【００１５】
本考案の実施態様の一は、該靴下体の靴下ボディーの底部には、踵袋が設けられていることを特徴とする該靴下構造からなる。  
【００１６】
本考案の実施態様の一は、該踵袋と対向した靴下体は、通気部が設けられていることを特徴とする該靴下構造からなる。  
【００１７】
本考案の実施態様の一は、該指先と踵袋の間、また踵袋と靴下の履き口の間には、第二締付部が設けられていることを特徴とする該靴下構造からなる。
【００１８】
本考案の実施態様の一は、該足指部から第二締付部までの間は、第二締付部前部と定義づけられていることを特徴とする該靴下構造からなる。
【００１９】
本考案の実施態様の一は、該第二締付部前部は、片面または両面に縦向きコード織りが設けられている構造であり、該縦向きコード織りは、複数の糸（一般の長繊維、短繊維とハーフカシミヤなど）で、タック編み組織を設けて行われているが、該タック編み組織によって、該縦向きコード織りが形成され、その機能を持つように設けられていることを特徴とする該靴下構造からなる。
【００２０】
本考案の実施態様の一は、該第二締付部は、該第二締付部前部の縦向きコード織りによるタック編み組織を設けてから、一般的な長短繊維、ハーフカシミヤの複数の糸にライカ、弾性糸またはゴム糸などの繊維を加えて、タック織りで、弾力的に締め付け、それから、それを繰り返して行うように設けられている該第二締付部であり、簡単に言えば、第二締付部前部の延長に弾力的に締め付けるように設けられていることを特徴とする該靴下構造からなる。
【００２１】
本考案の実施態様の一は、該第二締付部と第二締付部前部の縦向きコード織りによるタック編み組織は分布されず、または、該第二締付部前部と該第二締付部両者の表部または底部の全部または一部に分布されていることを特徴とする該靴下構造からなる。
【考案の効果】
【００２２】
１．本考案の靴下体の新型足袋靴下は、前端には四本指袋と親指袋が設けられ、該四本指袋は三本の仕切り線、または内五本指靴下内の内五本指袋には、四本の仕切り線が設けられているため、それを履くと、従来の一般的な五本指靴下より幅が小さくて、つま先がシャープな形をする靴を履いても、足指に圧迫感がなく、指も痛くならず、それに、蒸し暑くて汗が出て、細菌が生じて水虫になったりする場合も少ないことである。
【００２３】
２．本考案では、足袋靴下の靴下体の四本指袋、親指袋または内五本指袋と踵袋との間には第二締付部とその前部が設けられており、該第二締付部とその前部にある縦向きコード織りは、足の甲部に設けられた場合、足の甲部が比較的に延性がなく、足指に対する引っ張り力があり、厚みも、靴下体の他の部分よりも厚いため、高齢者がそれを履いて歩いていると、足部による体の重心の支持点が足裏または踵になり、徒歩時の転倒を防げると同時に、快適に履けることである。  
【００２４】
３．本考案の第二締付部とその前部にある縦向きコード織りは、足の裏に設けられ、該コード織りが踵袋まで続いているため、縦向きコード織り構造により、靴下の足裏部の延性を小さく、靴下の足裏部の厚みを厚くし、それに、第二締付部の弾性糸またはゴム糸構造からの締付けにより、運動や徒歩時でも、足裏の肉が靴下の足裏部と激しい摩擦が生じにくく、たこの発生も防げられることである。
【００２５】
４．本考案の靴下体は、靴下体構造を強めるために、ハーフカシミヤで織り込んでもよいが、それにより、親指袋、四本指袋と踵袋が摩擦を受けても、比較的に破りにくく、踵部の部分はハーフカシミヤで織り込んでいるから、快適な履物として利用でき、衝撃吸収、クッション性、汗を吸収する効果があることである。
【００２６】
５．従来の五本指靴下を覆くとき、簡単に履けず、五つの足指袋には、一足指袋に一足指が入ることになるが、本考案による足袋靴下と内五本指靴下構造では、素早く内五本指靴下を履ける。それを履くとき、足指をやや開けて、足裏と足の甲の二箇所を少し引いたら、すぐ履けるようになり、脱ぐときは、五つの足指袋の内部が裏返されて外に露出せずに済む設計である。 
【考案を実施するための形態】
【００２７】
本考案は、靴下構造に関わり、特に足袋靴下と内五本指靴下に関するオリジナルな構造であり、本考案の発明者は、上述した効果を達成させることを十分に説明するために、幾つかの好適な実施例を次のようにそれぞれ詳しく説明する。
【００２８】
まず、図１と図２に示すように、本考案は、弾力性のある靴下体１であり、該靴下体１は、自動靴下編み機を使用して、一般的な糸またはハーフカシミヤで自由に織り込まれるものであり、該靴下体１の自然な状態は、図３に示すようなシート体であり、該靴下体１は、靴下体の前端、靴下のボディーと靴下体の先端に分かれるが、自動靴下編み機では、まず靴下体の前端、それから靴下ボティー、最後に靴下体の先端という順で編み込まれることになる。  
【００２９】
該靴下体の前端には、四本指袋３と親指袋４が設けられ、該四本指袋３と該親指袋４は、お互いに隣接しているが、距離を開けるように設けられており、該四本指袋３は、該四本指袋３を四つの収納空間に分けるための三本の仕切り線３０が設けられているが、または、図１ａに示すように、四本指袋３と該親指袋４を一体成形にして連結するようにしてもよく、すなわち内五本指靴下というものであり、または、図１ｂに示すように、該靴下体１の前端には、三本指袋３１、中指袋３２と親指袋４が設けられ、該三本指袋３１、中指袋３２と親指袋４は、お互いに隣接しているが、距離を開けるように設けられており、該三本指袋３１は、該三本指袋３１を三つの収納空間に分けるための二本の仕切り線３０を織り込んで一体成形するように設けられている。  
【００３０】
図１ｃと図１ｄに示すように、該仕切り線３０は、自動靴下編み機の横編み構造にあり、複数の編み針が間隔を開けて設けられた靴下体の空間内で正常な袋編みを行うが、仕切り線３０を織り込んで、靴下体の織物を作っているとき、後床を織るとき、間隔位置（図１ｃ、図１ｄの点線部）にて、前床の編み針を、表編みを編んで、前後の織物を連結するようにするが、また、前床を織るとき、間隔位置（図１ｃ、１ｄの点線部）にて、後床の編み針を、表編みを編んでも、それと同じ効果が得られるが、このように編み針を編むように繰り返し、個別の前後床の編みをつなぐように編んでいくと、少しずつ仕切り線が形成されるが、特筆すべきことは、該仕切り線３０は、特定な長さがなく、間隔を開けて、分けるようにする効果が、すべて本考案の範囲に含まれるものとする。  
【００３１】
該靴下ボティーは、第二締付部前部７と第二締付部７１を備えてなり、通気部６と踵袋５に設けてもよいが、靴下体の前端の編みを完成したあと、靴下ボディーの第二締付部前部７と第二締付部７１を編んで、通気部６と踵袋５に設けてもよいが、該第二締付部７１は靴下ボディー全体を覆うように設けられ、該第二締付部７１は、複数の糸で織り込んでいるとき、特に比較的に弾力のよいゴム糸または弾性糸（ライカＬｙｃｒａの弾性糸でもよい）を加えて行うが、それにより、第二締付部７１に好適な締付け力を持たせるようにするが、図４に示すように、該第二締付部７１は、足の甲に複数の縦向きコード織り１７１に設けられてもよく。該コード織りは踵袋５の足の甲部まで続くことにより、該コード織りが第二締付部７１の足の甲部の延性を低減させ、上へ引っ張る力を生じさせて、高齢者の徒歩時の足部１００による体の重心の支持点を足裏または踵１０２に矯正するが、例えば、コード織り１７１は、第二締付部の足裏部に設けられた場合、靴下の底部の延性を低減させ、コード織り１７１構造から生じたタオルのような組織で、快適に履け、衝撃吸収などの効果があるが、図３ａに示すように、縦向きコード織り１７１を足の甲（すなわち、踵袋５と第一締付部２０との間）に設けてもよいが、それにより、指先とすね肉の間の引っ張り力を高めて、高齢者の徒歩時の足部１００による体の重心の支持点を足裏または踵１０２にすることもできるが、通気部６は、靴下ボディーの上部に設けてもよいが、第二締付部７１の織りを終えて、続いて織りこみ、または第二締付部７１と通気部６を同時に織ることができるが、一般的に言えば、該通気部６は、複数の糸で織り込んでなり、織り目がやや大きくて、靴下体の通気効果がよくなるが、また、該踵袋５は、靴下ボディーの底部の後方にあるが、通気部６を織る前、織っているとき、または織り終えて、続いて該踵袋５を織ることになるが、該踵袋５は、人の足の踵１０２が入るところで、足部１００が快適に入って履けるようになるが、該靴下体の先端は、靴下体１の最後の織るところであり、履き口２が設けられ、該履き口２に隣接した第一締付部２０があるが、特に、第一締付部２０の織り方は第二締付部７１の織り方に類似したもので、ただし、第二締付部７１は、縦向きコード織り１７１が設けられているが、両者の共通点と言えば、複数の糸で織り込んでいるとき、特に比較的に弾力性のあるゴム糸または（ライカ）弾性糸を加えて行うことであり、それにより、該第一締付部２０に足部１００へ好適な締め付め力を持たせ、好適な位置決め効果が得られることになり、それと同時に、第二締付部が足首への圧力と引っ張り力を高め、血行の流れをよくし、足部がひっくり返り転倒して捻挫したり、足首での静脈瘤の発生も防げる。  
【００３２】
図５に示すように、本考案の靴下体１は、該自動靴下編み機で織って出来上がったとき、該靴下体１が自然な状態で、シート状となり、人の足部１００が靴下体の先端にある履き口２から、本考案の靴下体１を履き、最後に足部１００の親指が親指袋４に入り、その他の四本の足指がそれぞれ単独で四本指袋３の仕切り線３０に分けられた空間に入ることになるが、このように、靴下体の前端により、それぞれ単独で、人の足部１００の五本の足指を覆うことになり、保温と湿気防止の効果があると同時に、蒸し暑くて人の足部１００に汗が出て、細菌が生じて水虫になる心配がないこと、また、四本指袋３に分けるための三仕切り線３０は、四本指袋３と一体化に織り込まれているものであり、それに、本考案の原理を応用したもう一つは、内五本指靴下のことであり、図１ａに示すように、該靴下の中に四本の仕切り線３０が一体化に織り込まれており、それにより、本考案の靴下体１全体は、従来の五本指靴下構造よりも、靴下体の前端の幅が小さくなり、つま先がシャープな形をする靴を履いても、足指が圧迫されて、痛くなることはない。  
【００３３】
図６に示すように、本考案では、靴下体１の四本指袋３、親指袋４と踵袋５との間には、第二締付部７１が設けられているが、該第二締付部７１の足の甲部は縦向きコード織り１７１に設けてもよいが、該縦向きコード織りは、踵袋５の足の甲部に続いてもよいが、第二締付部７１の中に弾性糸またはゴム糸を加えて織ったもので、弾力性があるが、コード織り１７１によって、第二締付部は弾力があるが、展性がなく、厚みは靴下体１の他の部分より厚く、それに、足の甲部に延性がないということで、靴下を上へ引っ張る力を生じさせて、高齢者がそれを履いたとき、高齢者の徒歩時の足部１００による体の重心の支持点を足裏または踵１０２に矯正し、その厚みで、使用者が快適に履けると同時に、高齢者の徒歩時の転倒を防げるのである。
【００３４】
該第二締付部７１は、縦向きコード織り１７１構造を足裏部に設け、更に、踵袋５の底部まで続くようにしてもよいが、コード織り構造なので、比較的に延性がなく、靴下と足裏の肉との摩擦力を減少させるが、それに、コード織りによるタオルのような厚みで、それを履くと、足裏に快適感を与え、激しい運動をしても、足裏と靴下が過度に摩擦して、たこが出来るということも避けられる。  
【００３５】
踵部５は、ハーフカシミヤで織ってもよいが、それにより、衝撃吸収、汗を吸収効果がある。
【００３６】
上述したのは、本考案の具体的な実施実施例及び技術原理を説明するための内容であり、本考案の考えやアイデアに基づいて、その改造などを行っても、それで生じられる機能、作用は明細書と図面に含まれている要素である場合、すべて本考案の範囲内に属するものとする。  
【図面の簡単な説明】
【００３７】
【図１】本考案の好適な実施例の足袋靴下の靴下体の外観上面図。
【図１ａ】本考案のもう一つ実施可能な実施例における内五本指靴下の靴下体の外観上面図。
【図１ｂ】本考案の更にもう一つの実施可能実施例にける内三本指靴下の靴下体の外観上面図。
【図１ｃ】本考案の靴下体の前端にある仕切り線の編み方のイメージ。
【図１ｄ】本考案の靴下体の前端の仕切り線のもう一つの編み方のイメージ。
【図２】本考案の好適な実施例の靴下体の外観下面図及び局所断面図。
【図３】本考案の好適な実施例の靴下体のコード織りを足裏部に設けた場合の側面図。
【図３ａ】本考案の好適な実施例の靴下体のコード織りを足の甲部に設けた場合の側面図。
【図４】図３の靴下体の側断面図。
【図５】本考案の好適な実施例の靴下体を履いているときのイメージ。
【図６】本考案の好適な実施例の之靴下体で、高齢者の徒歩時の足部による体の重心の支持点を踵にするイメージ。
【図７】従来の一般的な靴下体のイメージ。
【図８】従来の一般的な五本指靴下のイメージ。
【図９】高齢者が一般的な靴下体を履いているとき、徒歩時の足部による体の重心の支持点が指先にあるイメージ。
【符号の説明】
【００３８】
１：靴下体
２：履き口
２０：第一締付部
３：四本指袋
３１：三本指袋
３２：中指袋
３０：仕切り線
３０１：織り針
３０２：前床
３０３：後床
３０４：間隔位置
４：親指袋
５：踵袋
６：通気部
７：第二締付部前部
７１：第二締付部
１７１：コード織り
８：靴下
８１：足底部
８１０：足指部
９：従来の五本指靴下
９１：足指袋部
１００：足部
１０１：指先
１０２：踵
【図１】
0003171089.tif 000003
【図１ａ】
0003171089.tif 000004
【図１ｂ】
0003171089.tif 000005
【図１ｃ】
0003171089.tif 000006
【図１ｄ】
0003171089.tif 000007
【図２】
0003171089.tif 000008
【図３】
0003171089.tif 000009
【図３ａ】
0003171089.tif 000010
【図４】
0003171089.tif 000011
【図５】
0003171089.tif 000012
【図６】
0003171089.tif 000013
【図７】
0003171089.tif 000014
【図８】
0003171089.tif 000015
【図９】
0003171089.tif 000016